(57)【特許請求の範囲】
【請求項１】
上着本体と、その上着本体に取り付けられ、着用者の頭部を覆うフードと、そのフードの開口部の上部に取り付けられるつばとを有し、
前記フードは、その開口部側部分と前記開口部側部分よりも後方に位置する後方側部分とを接近させた状態で係合する係合部材を有し、
前記フードは、その開口部の上部中央から前後方向に沿って後方に向かって形成された一対のループと、その一対のループに挿通された紐体とを有し、前記一対のループは、前記フードの内側に筒状に形成されており、
前記一対のループが前側および後側に形成された開口部を有し、前記紐体の両端部が前記一対のループの前側開口部および後側開口部のうち、一方の開口部からそれぞれ挿通され、他方の開口部から引き出された状態となっており、前記紐体が前記係合部材であるフード付き上着。
【請求項２】
前記つばが前記フードの開口部の上部に着脱可能に取り付けられた請求項１に記載されたフード付き上着。
【発明の詳細な説明】
【技術分野】
【０００１】
本発明は、フードを有し、そのフードにつばが着脱可能に取り付けられたフード付き上着に関する。
【背景技術】
【０００２】
従来から、ブルゾン、アノラック、ヨットパーカまたはラッシュガードなどの上着として、日除け、防寒、防水などのためのフード付き上着が広く使用されている。このようなフード付き上着は、着用者が予め被っているキャップ、サンバイザーなどの上からフードを被せるようにして使用されている。
【０００３】
また、フード付き上着としては、フードの前側上部につばを取り付けたものが知られている（例えば、特許文献１参照）。特許文献１に記載のフード付き上着は、つば（庇）がフードに対して一体に取り付けられており、つばにより太陽光や雨が着用者の顔に当たり難くしている。
【先行技術文献】
【特許文献】
【０００４】
【特許文献１】特開２０００−１６０４１２号公報
【発明の概要】
【発明が解決しようとする課題】
【０００５】
特許文献１に記載されたフード付き上着は、フードに取り付けられたつばがその自重で着用者の顔の前に垂れ下がり、着用者の視界を遮ることがあった。このため、つばを持ち上げてその高さを直す必要があり、さらにつばを持ち上げた状態で維持することができないという問題もあった。
【０００６】
そこで、この発明の課題としては、フードに取り付けられたつばを持ち上げ、その持ち上げた状態でつばの位置を維持することができるフード付き上着を提供することである。
【課題を解決するための手段】
【０００７】
上記の課題を解決するために、この発明は、上着本体と、上着本体に取り付けられ、着用者の頭部を覆うフードと、そのフードの開口部の上部に取り付けられるつばとを有し、前記フードは、その開口部側部分と前記開口部側部分よりも後方に位置する後方側部分とを接近させた状態で係合する係合部材を有する構成を採用することができる。
【０００８】
この構成によると、係合部材により、フードの開口部側部分と後方側部分とが接近した状態で係合されて、フードの開口部に取り付けられたつばが引き上げられ、そのつばの位置で維持される。
【０００９】
前記フードは、前後方向に沿って形成された一対のループと、その一対のループに挿通された紐体とを有し、前記一対のループが前側および後側に形成された開口部を有し、前記紐体の両端部が前記一対のループの前側開口部および後側開口部のうち、一方の開口部からそれぞれ挿通され、他方の開口部から引き出された状態となっており、前記紐体が前記係合部材である構成を採用することができる。
【００１０】
この構成によると、一対のループの他方の開口部において、紐体の両端部を引き出すことで、フードの開口部側部分と後方側部分とを接近させた状態となり、この状態で紐体の両端部を結ぶことでフードのつばの位置が維持される。
【００１１】
また、前記フードは、前後方向に沿って取り付けられた係止具とその係止具が係止する複数の被係止具とを有し、前記係止具が前記フードの開口部側部分または前記後方側部分に取り付けられた状態であり、前記被係止具は、前記開口部側部分の前記係止具よりも後方に、または前記後方側部分の前記係止具よりも前方に、前後方向に沿って複数並んで取り付けられた状態であり、前記係止具及び被係止具が前記係合部材である構成を採用することができる。
【００１２】
この構成によると、係止具が被係止具に係止されることでフードの開口部側部分と後方側部分とを接近させた状態となり、この状態でフードのつばの位置が維持される。
【００１３】
さらに、前記つばが前記フードの開口部の上部に着脱可能に取り付けられた構成を採用することができる。
【発明の効果】
【００１４】
この発明は、係合部材によりフードの開口部側部分と後方側部分とが接近した状態で係合されるので、フードの開口部に取り付けられたつばが引き上げられ、つばの位置を維持することができる。
【図面の簡単な説明】
【００１５】
【図１】この発明に係る第一実施形態のフード付き上着の正面図
【図２】同上のフード付き上着のつばを示す斜視図
【図３】（ａ）同上のフード付き上着の要部を示す正面図、（ｂ）同上のフード付き上着の要部を示す側面図
【図４】図３（ｂ）のＡ−Ａ線における断面図
【図５】同上のフード付き上着の使用状態を示す側面図
【図６】同上のフード付き上着のつばの他の形態を示す斜視図
【図７】（ａ）この発明に係る第二実施形態のフード付き上着の要部を示す正面図、（ｂ）同上のフード付き上着の要部を示す側面図
【図８】この発明に係る第三実施形態のフード付き上着の要部を示す斜視図
【図９】（ａ）同上のフード付き上着のフードの係合前の状態を示す概略図、（ｂ）同上のフード付き上着のフードの係合状態を示す概略図
【発明を実施するための形態】
【００１６】
以下、この発明の第一実施形態に係るフード付き上着を図１〜図６に基づいて説明する。
この実施形態に係るフード付き上着１は、図１、２に示すように、着用者の胴体を覆う身頃部２及び左右の腕を覆う左右の袖部３、３とからなる上着本体と、身頃部２、左右の袖部３との上部に一体に縫い付けられたフード４と、フード４の開口部の上部に着脱可能に取り付けられたつば５とを有する。
【００１７】
身頃部２は、右前身頃２ａ、左前身頃２ｂ及び後身頃２ｃが一体に縫い付けられる。右前身頃２ａと左前身頃２ｂとの間には、ファスナ２ｄが縫い付けられ、身頃部２の上縁部には前方に向かって開口するフード４が一体に縫い付けられている。
【００１８】
ファスナ２ｄは、右前身頃２ａと左前身頃２ｂとを左右へ完全に分けるものである。なお、ファスナ２ｄは、その下端が着用者の胸部付近に位置するものであってもよい。
【００１９】
身頃部２、左右の袖部３を構成する生地は、合成繊維または天然繊維を用いた織編物からなるものが汎用性に優れ好ましい。合成繊維および天然繊維の種類は限定されないが、例えば、ポリエステルやナイロン繊維などを単独で使用したり、さらにポリウレタン、レーヨン、アクリル、綿繊維などと複合して使用したりすることが好ましい。
【００２０】
また、身頃部２、左右の袖部３を構成する生地は、様々な模様（柄）を有するものを採用することができ、身頃部２、左右の袖部３は同じ模様（柄）であることが好ましい。
【００２１】
フード４は、着用者の頭部を覆うものであり、頭部を覆わない状態では、フード４の開口部４ａが身頃部２の襟部となる。フード４は、開口部４ａに対して、その上側部分に長さ方向に間隔をおいてスナップボタン４ｂが五個取り付けられている。
【００２２】
なお、スナップボタン４ｂの数は、五個に限られず、つば５を安定して取り付けることができれば、少なくとも二個以上取り付けられていればよい。
【００２３】
フード４は、図３に示すように、その開口部４ａの上部中央から前後方向に沿って後方に向かって形成された左右一対のループ６と、一対のループ６に挿通された一本の紐体７とを有する。
【００２４】
右ループ部６ａ及び左ループ部６ｂは、フード４の内側に筒状に形成されており、フード４の開口部４ａ側部分にアイレットリング６ｃがそれぞれ固定されている。それぞれのアイレットリング６ｃは、一対のループ６の前側開口部となる。
【００２５】
なお、一対のループ６の前側開口部は、アイレットリング６ｃを固定する代わりに、その周縁部をかがることで菊穴としてもよい。
【００２６】
また、右ループ部６ａ及び左ループ部６ｂは、図３（ａ）に示すように、それぞれの後方側端部において開口しており、その開口部が後側開口部６ｄとなる。
【００２７】
紐体７は、一方の端部７ａが右ループ部６ａの後側開口部６ｄから内部に挿通されて、フード４の開口部４ａのアイレットリング６ｃから外部に延び出し、他方の端部７ａが左ループ部６ｂの後側開口部６ｄから内部に挿通されて、フード４の開口部４ａのアイレットリング６ｃから外部に延び出した状態となっている。
【００２８】
また、紐体７は、図３（ａ）に示すように、その長さ方向の途中部分が、フード４の内側において、一対のループ６の後側開口部６ｄ、６ｄよりも後方で折れ曲がった状態で露出している。この露出状態では紐体７の両端部７ａを引っ張りにより、紐体７が一対のループ６から抜け出ることがない。
【００２９】
紐体７は、平紐、丸紐等を採用することができ、その素材は、合成繊維、天然繊維または合成樹脂材、あるいはこれらを複合したものを採用することができる。
【００３０】
つば５は、図２に示すように、前縁部５ａが円弧となり後縁部５ｂが弦となる形状であって、可撓性を有する板状体から形成され、左右方向の両端部が下方に位置するように湾曲した状態となっている。
【００３１】
つば５の後縁部５ｂにスナップボタン５ｃが間隔をおいて五個取り付けられる。スナップボタン５ｃはフード４の開口部４ａのスナップボタン４ｂに嵌め合せられる。スナップボタン５ｃとフード４のスナップボタン４ｂとの嵌め合わせによって、つば５は、前縁部５ａがフード４の開口部４ａの上部から前方に突き出す状態で着脱可能に取り付けられる（図３（ｂ）参照）。
【００３２】
つば５は、平板状の発泡体からなる芯材（図示省略）の両面に織編物からなる表面生地５ｄを貼り付けて形成され、外周へのバインダーの縫製や、熱圧着等により、左右方向の両端部が下方に位置するように湾曲した状態に成形される。
【００３３】
つば５は、芯材としては、例えば、発泡ウレタンが使用可能である。表面生地５ｄとしては、上述の身頃部２、左右の袖部３を構成する生地と同じ素材が使用可能である。また、つば５の表面生地５ｄは、身頃部２及び袖部３と同じ模様（柄）を採用することができる。この場合、フード付き上着１として一体感を有するものとなり好ましい。
【００３４】
なお、つば５は、フード４の開口部４ａの上部に一体に形成してもよい。この実施形態のつば５は、フード４の開口部４ａの上部に着脱可能に取り付けられているので、必要に応じて取り外すことも可能となり、好ましい。
【００３５】
このように構成されるフード付き上着１は、図５に示すように、紐体７の両端部７ａ、７ａを一対のループ６のそれぞれのアイレットリング６ｃからさらに引き出すと、フード４の開口部４ａ側部分と、開口部４ａ側部分よりも後方に位置する後方側部分、すなわち、左右一対のループ６の後側開口部６ｄの後方側部分とが接近する状態となる。
【００３６】
この接近状態では、フード４の開口部４ａに着脱可能に取り付けられたつば５が持ち上げられる。また、この接近状態において、紐体７の両端部７ａ、７ａをアイレットリング６ｃ上で結ぶことで、この接近状態が維持されるとともに、つば５が持ち上がる状態で維持することが可能となる。
【００３７】
両端部７ａ、７ａを結ぶことにより、フード４の開口部４ａ側部分と後方側部分とを接近する状態に係合する紐体７は、係合部材となる。
【００３８】
また、一対のループ６のアイレットリング６ｃからの紐体７の引き出し長さに基づいて、フード４の開口部４ａ側部分と、左右一対のループ６の後側開口部６ｄの後方側部分との距離を調整することができる。この調整により、つば５の前縁部５ａの位置を使用者の希望に基づいて、無段階に調整することができる。
【００３９】
なお、つば５は、図６に示すように、後縁部５ｂを上方に突き出すフランジ状とし、そのフランジ部分にスナップボタン５ｃを間隔をおいて五個取り付けるようにしてもよい。この場合、外力に対するつば５の保形性が向上するので、好ましい。
【００４０】
次に、この発明の第二実施形態に係るフード付き上着１を図７（ａ）、（ｂ）に基づいて説明する。この実施形態は、紐体７の両端部７ａ、７ａが、フード４の左右一対のループ６の前側開口部から挿通され、フード４の左右一対のループ６の後側開口部から外部に延び出した状態となる点で、上述した第一の実施形態の構造体と相違する。その他の構造は、第一実施形態と同じと考えられ、同じ符号を付してその説明を省略する。
【００４１】
この実施形態において、フード４の右ループ部６ａ及び左ループ部６ｂは、その後方側端部にアイレットリング６ｅ、６ｅがそれぞれ固定されている。アイレットリング６ｅ、６ｅが後側開口部となっている（図７（ｂ）参照）。
【００４２】
紐体７は、一方の端部７ａが右ループ部６ａに対して、アイレットリング６ｃから内部に挿通されて、アイレットリング６ｅから外部に延び出し、他方の端部７ａが左ループ部６ｂに対して、アイレットリング６ｃから内部に挿通されて、アイレットリング６ｅから外部に延び出した状態となっている。
【００４３】
また、フード４の外側において、図７（ａ）に示すように、紐体７は、その長さ方向の途中部分が一対のループ６のアイレットリング６ｃよりも前方で折れ曲がった状態で露出している。
【００４４】
紐体７の両端部７ａ、７ａは、図７（ｂ）に示すように、留め具７ｂによりまとめられており、留め具７ｂは、紐体７が二つ折りした状態で挿通されており、長さ方向に沿って、任意の位置に固定可能となっている。
【００４５】
この実施形態に係るフード付き上着１は、紐体７の両端部７ａ、７ａを一対のループ６のそれぞれのアイレットリング６ｅからさらに引き出すと、フード４の開口部４ａ側部分と左右一対のループ６のアイレットリング６ｅ付近の後方側部分とが接近する状態となる。
【００４６】
この接近状態では、フード４の開口部４ａに着脱可能に取り付けられたつば５が持ち上げられる。また、紐体７の両端部７ａ、７ａがアイレットリング６ｅ上で留め具７ｂによりまとめられることで、前記接近状態を維持されるとともに、つば５が持ち上がる状態で維持される。
【００４７】
この発明に係る第三実施形態のフード付き上着１を図８、９に基づいて説明する。この第三実施形態のフード付き上着１としては、フード４が有する左右一対のループ６及び紐体７の代わりに、前後方向に沿って取り付けられた係止具となる環状のフック８ａと、フック８ａが係止する被係止具となるボタン８ｂとを有する点で、上述した第一の実施形態の構造体と相違する。その他の構造は、第一実施形態と同じと考えられ、同じ符号を付してその説明を省略する。
【００４８】
この実施形態において、図８に示すように、フック８ａが、フード４中央の開口部４ａよりも後方に位置する後方側部分に取り付けられ、フック８ａよりも前方にボタン８ｂが前後方向に沿って複数取り付けられている。
【００４９】
この実施形態に係るフード付き上着１は、図９に示すように、フック８ａを複数のボタン８ｂのうちいずれか一つに係止することで、フード４の開口部４ａ側部分と、フック８ａの後方側部分とが接近する状態となる。
【００５０】
この接近状態では、フード４の開口部４ａに着脱可能に取り付けられたつば５が持ち上げられ、つば５が持ち上がる状態で維持される。
【００５１】
このようにフード４の開口部４ａ側部分と後方側部分とを接近する状態に係合する係止具であるフック８ａ及び被係止具であるボタン８ｂは、係合部材８を構成する。
【００５２】
また、フック８ａを係止するボタン８ｂを変えることで、フード４の開口部４ａ側部分と、後方側部分との距離を段階的に調整可能となり、つば５の前縁部５ａの位置を使用者の希望に基づいて段階的に調整することができる。
【００５３】
さらに、上述した第一実施形態とは異なり、紐体を使用しないことから、紐体が体などに絡むことがなく、乳幼児用として適している。
【００５４】
なお、フック８ａがフード４の中央の開口部４ａに取り付けられ、フック８ａよりも後方にボタン８ｂが前後方向に沿って複数取り付けられた形態を採用することもできる。
【符号の説明】
【００５５】
１  フード付き上着
２  身頃部
２ａ  右前身頃
２ｂ  左前身頃
２ｃ  後身頃
２ｄ  ファスナ
３  袖部
４  フード
４ａ  開口部
４ｂ  スナップボタン
５  つば
５ａ  前縁部
５ｂ  後縁部
５ｃ  スナップボタン
５ｄ  表面生地
６  ループ
６ａ  右ループ部
６ｂ  左ループ部
６ｃ  アイレットリング
６ｄ  後側開口部
６ｅ  アイレットリング
７  紐体
７ａ  端部
７ｂ  留め具
８  係合部材
８ａ  フック
８ｂ  ボタン
【図１】
0006742099.tif 000002
【図２】
0006742099.tif 000003
【図３】
0006742099.tif 000004
【図４】
0006742099.tif 000005
【図５】
0006742099.tif 000006
【図６】
0006742099.tif 000007
【図７】
0006742099.tif 000008
【図８】
0006742099.tif 000009
【図９】
0006742099.tif 000010